【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
陶芸用ろくろのターンテーブルの回転を制御するためのペダル装置であって、
筐体部と、
前記筐体部に回転軸を介して回動自在に装着される操作ペダルと、
前記筐体部の内部に配置され、前記筐体部に対する前記操作ペダルの回転方向の相対角度を検知し、検知した相対角度に応じた電気信号を出力する角度検知手段と、
一端が前記角度検知手段に接続されると共に、他端がろくろ本体に着脱自在に連結され、前記電気信号を前記ろくろ本体の駆動源に入力する接続コードと、
前記筐体部に対する操作ペダルの回転方向の初期角度を調整するための調節部材と、
を備えた陶芸用ろくろのペダル装置。
【請求項２】
前記角度検知手段が、前記相対角度によって抵抗が変化する可変抵抗器である、
請求項１に記載の陶芸用ろくろのペダル装置。
【請求項３】
前記調節部材は、前記回転軸を介してオペレータが操作ペダルを踏み込む踏み込み位置とは反対側に配設され、
且つ、操作ペダルが操作ペダルの踏み込みと反対側に回動した際に、所定の位置でその回動を停止するように操作ペダルに当接する、
請求項１又は請求項２に記載の陶芸用ろくろのペダル装置。
【請求項４】
前記調節部材が前記筐体部に羅合し、そのねじ込み高さを調節可能なボルトである、
請求項１から３のいずれかに記載の陶芸用ろくろのペダル装置。
【請求項５】
前記操作ペダルには、前記調節部材に当接する部位に弾性部材が備えられ、前記弾性部材を介して前記操作ペダルが前記調節部材に当接するように構成されている、請求項３または４に記載の陶芸用ろくろのペダル装置。
【手続補正２】
【補正対象書類名】明細書
【補正対象項目名】００１１
【補正方法】変更
【補正の内容】
【００１１】
請求項１に係る陶芸用ろくろのペダル装置は、陶芸用ろくろ本体のターンテーブルの回転を制御するためのペダル装置であって、筐体部と、前記筐体部に回転軸を介して回動自在に装着される操作ペダルと、前記筐体部の内部に配置され、前記筐体部に対する前記操作ペダルの回転方向の相対角度を検知し、検知した相対角度に応じた電気信号を出力する角度検知手段と、一端が前記角度検知手段に接続されると共に、他端がろくろ本体に着脱自在に連結され、前記電気信号を前記ろくろ本体の駆動源に入力する接続コードと、
前記筐体部に対する操作ペダルの回転方向の初期角度を調整するための調節部材と、を備える。
【手続補正３】
【補正対象書類名】明細書
【補正対象項目名】００１２
【補正方法】変更
【補正の内容】
【００１２】
請求項２に係るペダル装置は、請求項１に記載の陶芸用ろくろのペダル装置において、前記角度検知手段が、前記相対角度によって抵抗が変化する可変抵抗器である。
。
【手続補正４】
【補正対象書類名】明細書
【補正対象項目名】００１３
【補正方法】変更
【補正の内容】
【００１３】
請求項３に係るペダル装置は、請求項１又は請求項２に記載の陶芸用ろくろのペダル装置において、前記調節部材が、前記回転軸を介してオペレータが操作ペダルを踏み込む踏み込み位置とは反対側に配設され、且つ、操作ペダルが操作ペダルの踏み込みと反対側に回動した際に、所定の位置でその回動を停止するように操作ペダルに当接する。
【手続補正５】
【補正対象書類名】明細書
【補正対象項目名】００１４
【補正方法】変更
【補正の内容】
【００１４】
請求項４に係るペダル装置は、請求項１から３のいずれかに記載の陶芸用ろくろのペダル装置において、前記調節部材が前記筐体部に羅合し、そのねじ込み高さを調節可能なボルトである。
【手続補正６】
【補正対象書類名】明細書
【補正対象項目名】００１５
【補正方法】変更
【補正の内容】
【００１５】
請求項５に係るペダル装置は、請求項３または４に記載の陶芸用ろくろのペダル装置において、前記操作ペダルには、前記調節部材に当接する部位に弾性部材が備えられ、前記弾性部材を介して前記操作ペダルが前記調節部材に当接するように構成されている。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２２
【補正方法】変更
【補正の内容】
【００２２】
また、請求項１に係るペダル装置は、作陶者が操作ペダルを踏み込んだ場合に、それが角度検知手段によって検知され、検知された相対角度に応じてターンテーブルの回転が制御される。そして、このペダル装置では、調節部材を操作して、操作ペダルの初期角度を調節することができるため、初期設定時と異なるろくろにつないで使用する場合であっても、当該ろくろのターンテーブルの回転数に合わせることができる。すなわち、このペダル装置によれば、本体部から分離可能にしたことにより生じる不都合を解消することができる。
【手続補正１３】
【補正対象書類名】明細書
【補正対象項目名】００２３
【補正方法】変更
【補正の内容】
【００２３】
請求項２のペダル装置では、筐体部と操作ペダルの相対角度に応じて、可変抵抗器の抵抗が変化することで、ターンテーブルの回転数を変化させることができる。
【手続補正１４】
【補正対象書類名】明細書
【補正対象項目名】００２４
【補正方法】変更
【補正の内容】
【００２４】
請求項３のペダル装置では、調節部材が、回転軸を介してオペレータの操作ペダルの踏み込み位置とは反対側に配設され、且つ、操作ペダルが操作ペダルの踏み込みと反対側に回動した際に、所定の位置でその回動を停止するように操作ペダルに当接するように構成されているので、調節部材を操作して、操作ペダルの初期角度位置を変えることができる。
【手続補正１５】
【補正対象書類名】明細書
【補正対象項目名】００２５
【補正方法】変更
【補正の内容】
【００２５】
請求項４のペダル装置では、調節部材が、筐体部に羅合し、そのねじ込み高さを調節可能なボルトであるので、ボルトを回転させて操作ペダルの当接位置、所謂操作ペダルの初期角度を容易に調節できる。
【手続補正１６】
【補正対象書類名】明細書
【補正対象項目名】００２６
【補正方法】変更
【補正の内容】
【００２６】
請求項５のペダル装置では、操作ペダルが弾性部材を介して調節部材に当接するため、調節部材に加えられる衝撃を緩和し、ペダル装置の損傷を防止できる。
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３８
【補正方法】変更
【補正の内容】
【００３８】
筐体部１１は、床、台等に載置されるアルミ合金製の部材である。筐体部１１の側面には、接続用コード２１と連結可能なコネクタ２３が設けられている。また、筐体部１１の内側には、可変抵抗器１５が取り付けられたブラケット２５が配置されている。さらに、筐体部１１には、操作ペダル１３のシャフト３１（所謂、本発明における回転軸である。）が貫通して配置されている。また、図３に表したように、筐体部１１の上面には、操作ペダル１３が開姿勢（所謂、本発明における操作ペダルの初期角度を有する姿勢である）において当接する部位にゴム製のクッション片２７が取り付けられている。さらに、筐体部１１の後方部には、他の部分より低く凹んだ段部１１ａが形成されている。段部１１ａには、ストッパーボルト１９が羅合可能なネジ孔１１ｂが形成されている。